(57)【要約】【課題】メモリ使用機器にメモリを接続したときにメモリ内のデータについてデータベースを作成するとき、メモリ内のデータが更新部分を容易に検出して短時間で更新を行うことができる「メモリ内データ更新管理システム」とする。【解決手段】このメモリのデータを利用する機器がデータ処理できるｍｐ３、ＷＭＡ等の特定種類のデータについて、メモリ内データの更新が行われたことを検出したとき、更新識別情報を付加した更新情報を作成して記録するソフトをメモリ内に備える。このメモリデータを利用する機器では、このメモリ内のデータについてのデータベースを、更新識別情報を付加した更新情報により更新する。それにより必要最小限の部分のみを高速で、且つ容易に更新できる。また、前記データベースの更新後は、前記メモリ内の更新情報を消去する。【選択図】図１
2009252268.tif 000002
【特許請求の範囲】
【請求項１】
各種データを記録するメモリ内のデータ記録部と、前記メモリ内のデータを利用する機器がデータ処理できる特定種類のデータの更新が行われたことを検出したとき、当該更新データについての更新識別情報を付加した更新情報を記録する処理を行うメモリ内のデータ管理ソフトと、前記データ管理ソフトにより作成するメモリ記録内容更新管理データとを備えたメモリを用い、
前記メモリデータを利用する機器では、前記更新識別情報を付加したメモリ記録内容更新管理データを備えたメモリを該機器に接続したとき、前記メモリ記録内容更新管理データによりメモリデータを利用する機器のデータベースを更新し、前記データベース更新後に前記更新内容を記録したメモリ記録内容更新管理データ部分を削除することを特徴とするメモリ内データ更新管理システム。
【請求項２】
前記更新識別情報は、データの追加、タグ変更、削除、移動の少なくともいずれかの情報であることを特徴とする請求項１記載のメモリ内データ更新管理システム。
【請求項３】
前記メモリデータ利用機器は車両搭載オーディオ機器であり、前記メモリはＵＳＢメモリであることを特徴とする請求項１記載のメモリ内データ更新管理システム。
【請求項４】
前記メモリデータ利用機器は、前記メモリの接続時に直ちに、メモリ内のデータ記録部に記録されているデータの情報を取り込んでデータベースの作成処理、及び更新処理を行うことを特徴とする請求項１記載のメモリ内データ更新管理システム。
【発明の詳細な説明】
【技術分野】
【０００１】
本発明は、メモリに記録したデータを用いる機器において、メモリのデータがパソコン等によって更新されていることを検出し、メモリ内データの情報を示すデータベースを容易に更新することができるようにしたメモリ内データ更新管理システムに関する。
【背景技術】
【０００２】
例えば車載オーディオ装置にはラジオやテレビの放送受信、一般のＣＤやＤＶＤの再生のほか、ｍｐ３等で記録した多数の楽曲をＣＤや大容量メモリ等のデータ記録媒体に記録し、これを再生して聴くことができるようになっている。また、大容量メモリやハードディスクを備えた携帯型オーディオ装置を車両に持ち込み、高性能な車載オーディオ装置に接続して携帯型オーディオ装置の楽曲を読み込んで再生することも行われている。
【０００３】
このような車載オーディオ装置には、前記のような種々のメディアの楽曲再生に対応するため、ｍｐ３やＷＭＡのような各種圧縮形式で記録している楽曲データを再生することができるソフトウェアであるメディアプレーヤを備えている。このメディアプレーヤでは、単に各種楽曲を再生して出力する以外に、車載オーディオ装置に前記のような種々の楽曲データ記録媒体を接続したとき、その接続した楽曲データ記録媒体に記録されたデータについて、メディアプレーヤが再生可能である形式で記録されているデータを検索し、再生可能であるとして検索した楽曲データについて例えばアーティスト名、その楽曲が収録されたアルバム名、曲名、ジャンル名等の楽曲の情報である楽曲情報を収集してデータベースを作成している。
【０００４】
このような楽曲情報は、例えばｍｐ３等で記録したデータについては、ＩＤ３タグ情報等、各楽曲データに付随して記録しているタグデータを読み込むことによってこれを取り込み、データベースを構築することが可能である。このような楽曲情報のデータベースを作成することにより、その後これらのデータ記録媒体に記録した楽曲のうち利用者が好みの楽曲のみを高速で選択して、任意の順序で視聴することが可能となる。
【０００５】
このような車載オーディオ装置の例を図６（ａ）に示しており、同図にはヘッドユニット等の車載オーディオ装置５１にＵＳＢメモリ５２を接続し、メディアプレーヤ５４によってこれを再生するとき、このメディアプレーヤ５４はＵＳＢメモリ５２の接続時に再生可能な圧縮オーディオファイルの検索を行い、そこで検出したＩＤ３タグなどのタグデータを元に楽曲情報についてのデータベース５３を作成する。その後、メディアプレーヤ５４はデータベースに記録している楽曲情報を検索し、所望の楽曲を任意に選択し、プレイリストを作成する等により連続して好みの曲を再生可能としている。
【０００６】
このときデータベース５３に作成される楽曲情報のデータベースの例を同図（ｂ）に示している。同図に示すようにデータベースの情報の種類としてファイル名、曲名、アルバム名、アーティスト名、ジャンル名等が存在する例を示しており、そのほか必要に応じてその楽曲のリリース年、再生必要時間等を記録しておく。また、図示の例ではファイル名としてＡＡＡ.mp3・・・ＰＱＲ.wmaとして示しているように、ｍｐ３形式で圧縮した楽曲のほか、ＷＭＡ（Window. Media Audio）形式で楽曲配信を受けた曲等を記録している例を示している。
【０００７】
上記のようなデータベースを作成することにより、例えば図７に示す例では、同図（ａ）の各種の種類の楽曲情報の中から「アルバム」を選択し、それにより（ｂ）のように表示されるアルバム名から「ＸＸＺ」を選択し、それにより（ｃ）のように表示されるアルバム名「ＸＸＺ」に含まれる曲の中から特定の曲「ＹＹＹ」を容易に検索し、選択することができる。
【０００８】
なお、書き換え可能メディアにおいて、各デジタルコンテンツを参照するプレイリスト情報を管理ファイルに格納することで、デジタルコンテンツ削除時に修正が必要なプレイリストファイルの検索を高速化するようにした技術は特許文献1に開示されている。
【特許文献１】特開２００７−５３１１７６号公報
【発明の開示】
【発明が解決しようとする課題】
【０００９】
図６に示すような従来の車載オーディオ装置５１においては、前記のようにＵＳＢメモリ５２を接続すると、このＵＳＢメモリ５２に記録している楽曲データについて、このメディアプレーヤ５４が再生することができる種類の形式のデータに関してデータベース５３を作成するものであるが、その後このＵＳＢを取り外すと、作成したデータベースを削除し、その後再度ＵＳＢメモリを接続したときには新たに同様にしてデータベースを作成することも行われている。
【００１０】
しかしながら、例えば常に同じＵＳＢメモリを使用しているときには、このＵＳＢメモリを接続するたびに新しくデータベースを作成することは、例えばそのＵＳＢメモリについて記録していたデータを大幅に変更した場合は良いが、ほとんど変更しないとき、更には全く変更しないときには無駄な処理を行うこととなり、またメモリ内に数ギガバイトの大量の楽曲データが存在するときには、ＵＳＢメモリを接続してから前記のよな処理によってデータベースを製作して完成するまで多くの時間がかかり、その間はこのメモリに記録した楽曲データを再生することができないという問題が生じる。
【００１１】
そのため、前記のようなデータベースを作成する際、作成したデータベースに対してＵＳＢメモリのＩＤを記録することによって、その後このＵＳＢメモリを取り外したときもこのデータベースを維持し、再度ＵＳＢメモリを接続したときにはＩＤが一致するデータベースと、接続したＵＳＢメモリのデータとを比較し、更新されたと判別されたときのみ前記のようにデータベースの作成処理を行うことが考えられる。
【００１２】
しかしながらこの場合でも、車載オーディオ装置が、接続されたＵＳＢメモリのデータが先に接続していたときから更新されたか否かの判断は、全体容量を比較するか、もう一度すべてのファイルを検索し直す必要がある。すべてのファイルを検索し直す方法では、ＵＳＢメモリが接続されるたびに全てのファイルを対照として検索し直す必要があるため、例えば１万曲等の大量の楽曲データがメモリに存在する場合は、検索だけでも多くの時間がかかり、車載オーディオ装置の性能が疑われることとなる。
【００１３】
そのため、全体容量の比較によって前回のデータと今回のデータとでデータ更新が行わているかを判別することとなる。しかしながらこの手法では、ＭＰ３などの圧縮オーディオにおいて、特定の楽曲のアーティスト名を訂正したときのような場合には、ＩＤ３タグデータのみが更新されることとなり、その際には全体のサイズが変化しない。そのため、この方法ではＵＳＢメモリ内のデータが更新されることにより、車載オーディオ装置のデータベースも更新する必要があるか否かの判断はできない。
【００１４】
また、データが更新されたことを検出した場合でも、どの楽曲についてどのように更新がなされたかを検出する方法がないため、データベースを始めから作成することになり、時間がかかってしまう。更に、車載オーディオ装置のメディアプレーヤが再生対象としているデータ以外の、例えば画像データが追加されたような場合でも、このＵＳＢメモリのデータ量が変化し、その際には更新されていると判断されるため、データベースの作り直しを行うこととなる。
【００１５】
このような問題を解決するためには、ＵＳＢメモリにデータを更新した記録としてのログデータを記録することが考えられる。しかしながら、ファイルの更新自体は任意のパソコン上で行われるため、車載オーディオ装置で制御することができない。また、従来から行われているように、専用の転送ソフトを利用者のパソコン上にインストールさせることが考えられる。しかしながらこの手法では利用者が車載オーディオ装置に使用するＵＳＢのために、パソコンに更新データ取得用のアプリケーションソフトをインストールする作業を行う必要があり、利用者に負担をかけ、またパソコンの変更時には再インストールを必要とする等、利用者に面倒なオーディオ装置という感を与えてしまう、という問題がある。
【００１６】
したがって本発明は、パソコン等でメモリ内のデータが更新されることにより、このメモリを用いる機器において作成する、メモリに記録したデータについてのデータベースを更新する必要があるとき、メモリ内のデータが更新されていること、およびどの部分が更新されているかを、利用者に負担をかけることなく容易に検出することができ、データベースの更新の必要のある部分のみを短時間で更新することができるようにしたメモリ内データ更新管理システムを提供することを主たる目的とする。
【課題を解決するための手段】
【００１７】
本発明に係るメモリ内データ更新管理システムは、前記課題を解決するため、各種データを記録するメモリ内のデータ記録部と、前記メモリ内のデータを利用する機器がデータ処理できる特定種類のデータの更新が行われたことを検出したとき、当該更新データについての更新識別情報を付加した更新情報を記録する処理を行うメモリ内のデータ管理ソフトと、前記データ管理ソフトにより作成するメモリ記録内容更新管理データとを備えたメモリを用い、前記メモリデータを利用する機器では、前記更新識別情報を付加したメモリ記録内容更新管理データを備えたメモリを該機器に接続したとき、前記メモリ記録内容更新管理データによりメモリデータを利用する機器のデータベースを更新し、前記データベース更新後に前記更新内容を記録したメモリ記録内容更新管理データ部分を削除することを特徴とする。
【００１８】
また、本発明に係る他のメモリ内データ更新管理システムは、前記メモリ内データ更新管理システムにおいて、前記更新識別情報は、データの追加、タグ変更、削除、移動の少なくともいずれかの情報であることを特徴とする。
【００１９】
また、本発明に係る他のメモリ内データ更新管理システムは、前記メモリ内データ更新管理システムにおいて、前記メモリデータ利用機器は車両搭載オーディオ機器であり、前記メモリはＵＳＢメモリであることを特徴とする。
【００２０】
また、本発明に係る他のメモリ内データ更新管理システムは、前記メモリ内データ更新管理システムにおいて、前記メモリデータ利用機器は、前記メモリの接続時に直ちに、メモリ内のデータ記録部に記録されているデータの情報を取り込んでデータベースの作成処理、及び更新処理を行うことを特徴とする。
【発明の効果】
【００２１】
本発明は上記のように構成したので、パソコン等でメモリ内のデータが更新されることにより、このメモリを用いる機器において作成する、メモリに記録したデータについてのデータベースを更新する必要があるとき、メモリ内のデータが更新されていること、およびどの部分が更新されているかを、利用者に負担をかけることなく容易に検出することができ、データベースの更新の必要のある部分のみを短時間で更新することができるようになる。
【発明を実施するための最良の形態】
【００２２】
本発明はメモリ使用機器にメモリを接続したときにメモリ内のデータについてデータベースを作成するとき、メモリ内のデータが更新部分を容易に検出して短時間で更新を行うという目的を、各種データを記録するメモリ内のデータ記録部と、前記メモリ内のデータを利用する機器がデータ処理できる特定種類のデータの更新が行われたことを検出したとき、当該更新データについての更新識別情報を付加した更新情報を記録する処理を行うメモリ内のデータ管理ソフトと、前記データ管理ソフトにより作成するメモリ記録内容更新管理データとを備えたメモリを用い、前記メモリデータを利用する機器では、前記更新識別情報を付加したメモリ記録内容更新管理データを備えたメモリを該機器に接続したとき、前記メモリ記録内容更新管理データによりメモリデータを利用する機器のデータベースを更新し、前記データベース更新時に前記更新内容を記録したメモリ記録内容更新管理データ部分を削除することによって実現した。
【実施例１】
【００２３】
本発明の実施例を図面に沿って説明する。図1は本発明によるメモリ内データ更新管理システムの概要図を示しており、図１に示す例においては本発明のメモリとして、ＵＳＢメモリにデータ管理ソフト５を備えることにより「データ管理ソフト付メモリ１」としたものを用いる例を示している。
【００２４】
すなわち、楽曲データを記録して用いるメモリには、単なるフラッシュメモリのように、データを記録するのみのメモリと、ＵＳＢメモリのようにメモリ内にソフトウエアを備え、このメモリをパソコン等に接続したとき、自動的にソフトウエアを起動してパソコン等と通信を行うようにしたメモリとが存在し、本発明ではＵＳＢメモリのように、あらかじめメモリ内にこのようなソフトを備えると共に、そのソフトウエアとしてメモリのデータ記録部３に記録するデータの更新管理を行うメモリ内データ更新管理部２を備えた、データ管理ソフト付メモリ１を用いる。
【００２５】
このデータ管理ソフト付メモリ１のメモリ内データ更新管理部２には、データ管理ソフト５そのものを備えているほか、データ記録部３のデータが更新されるか否かを監視するデータ更新監視部６を備えている。また、データ更新監視部６でデータが更新されることを検出したときには、その更新されるデータが、例えば画像データであるか、オーディオデータであるかのデータ種別等、データの種類を判別する更新データ種類検出部７を備えている。
【００２６】
この更新データ種類検出部７では、オーディオデータでも例えばＷＡＶ、ＭＩＤＩ、ＭＰ３、ＷＭＡ、ＡＴＲＡＣ、ＡＡＣのほか更に種々のデータの種類が存在するが、図１の例ではこのデータ管理ソフト付メモリ１をヘッドユニット等のメモリデータ利用機器２１に接続して使用することを前提としているので、このメモリデータ利用機器２１がオーディオデータにおけるｍｐ３とＷＭＡに対応しているときには、予めデータ管理ソフト５ではこのｍｐ３とＷＭＡの種類のデータが更新されるか否かを判別して、以降の処理を行うように設定する。
【００２７】
更新識別情報付加部８は、更新データ種類検出部７で、更新するデータが予め設定した所定の種類のデータであることを検出したとき、その更新データについて、例えばデータを追加するものか、データの記録を変更するものか、データを削除するものか、データを移動するものか等の更新の状態に応じた識別情報を付加する。メモリ記録内容更新管理データ９は通称ログデータと称するものであり、所定の種類のデータが前記のように更新されるとき、その状態を前記更新識別情報と共に記録する。
【００２８】
前記データの更新の監視を行うデータ更新監視部６、更新したデータの種別を判別する更新データ種類検出部７、更には更新識別情報付加部８は、データ管理ソフト５のソフトフェアとして作動させるため、これらの機能部をデータ管理ソフト５の機能として示している。
【００２９】
上記のようなデータ管理ソフト付メモリ１は、通常のメモリと同様に一般の電気店で販売することができるが、例えば車両メーカーが自社に搭載している車載オーディオ装置で使用できるように、あるいは車両搭載オーディオ装置のメーカーが自社のオーディオ装置で使用できるように、それらのオーディオ装置におけるメディアプレーやで再生可能なデータの種類を選択してメモリを作成し、これを車の各種パーツ販売店等で販売する等のメモリ供給手法が考えられる。
【００３０】
上記のようなデータ管理ソフト付メモリ１には接続部４を備え、ユーザパソコン１１として示すパソコンの接続部１４に、直接、或いは有線などにより接続する。ユーザパソコン１１には通常のパソコンの機能を行うデータ演算処理部１２を備えるほか、内蔵ハードディスクや外付けメモリ等のデータ記録媒体に対する処理を行うデータ記録処理部１３も備えた例を示している。
【００３１】
このようなユーザパソコン１１によって、メモリ管理ソフト付メモリ１において、大量のデータを記憶する処理をデータ記録部３に対して、各種のデータ記録処理を行う。このパソコンでのメモリデータの更新処理は、例えば図２に示す作動フローにしたがって順に作動させることができる。図２に示すパソコンでのメモリデータ更新処理においては、最初データ管理ソフト付メモリをパソコンに接続することから開始する（ステップＳ１）。この処理は図１のデータ管理ソフト付メモリ１の接続部４と、ユーザパソコン１１の接続部１４とを接続することにより行う。
【００３２】
次いでメモリ内データ管理ソフトを起動する（ステップＳ２）。この作動はデータ管理ソフト付メモリ１が接続部４によってユーザパソコン１１と接続し、互いに接続を認識処理した後、パソコンがメモリ内データ管理部２のデータ管理ソフト５を起動することによって行う。その後パソコンによりメモリ内データを更新するか否かの判別を行い（ステップＳ３）、更新しないときにはステップＳ７に進んで、メモリをパソコンから取り外したか否かの判別を行い、取り外したときには終了（ステップＳ８）すると共に、未だ取り出していないときには再びステップＳ３に戻って前記作動を繰り返す。
【００３３】
ステップＳ３においてパソコンによりメモリ内のデータを更新すると判別したときには、メモリ内データの更新処理を行う（ステップＳ４）と共に、更新したデータは特定の種類のデータか否かを判別する（ステップＳ５）。これらの作動は図１のデータ管理ソフト付メモリ１内のメモリ内データ更新管理部２における、データ管理ソフト５の機能をしてのデータ更新監視部６でデータの更新を監視し、更新データ処理判別部７で、更新するデータの種類が予め設定した、例えばｍｐ３やＷＭＡ等の特定の種類のデータであるか否かを判別することにより行う。
【００３４】
ステップＳ５で更新したデータは特定の種類のデータではないと判別したときには再びステップＳ３に戻って前記作動を繰り返す。また、更新したデータは特定の種類のデータであることを検出したときにはステップＳ６に進み、特定の種類のデータについて、更新識別情報を付加してメモリ内に記録内容更新管理データを作成する。
【００３５】
上記作動は例えば図４に示すようにして行われる。即ち図４に示すデータ管理ソフト付メモリにおける更新内容に対する更新管理データの例においては、同図（ａ）の更新内容例の表に示すように、１番目にファイル名が「ＡＡＡ.txt」で。ファイルの種類がテキストファイルであり、データ管理ソフト付メモリとしてのＵＳＢメモリへの更新内容が追加であり、そのときのファイルパスは「／」、即ちデータ記録のルートが最も上位の「／」であることを示しており、このテキストファイルは、特定機器としての車両用ヘッドユニットのようなメモリデータ利用機器２１で再生対象としているｍｐ３またはＷＭＡではないので、ログ出力しないことを示している。
【００３６】
同様に２番目のファイル名「ＹＹＹ.mp3」は圧縮ファイルであり、データを追加する更新内容であり、「／￥ｍｕｓｉｃ￥ｚｘｚ」のファイルパス、即ち、ルート「／」上の「ｍｕｓｉｃ」のファイルにおける「ｚｘｚ」のファイルであり、ファイルの種類がｍｐ３であることによりログ出力を行うことを示している。以下同様に図示するようなファイル名、ファイルの種類、ＵＳＢ更新内容、ファイルパス、ログ出力、とする例を示している。
【００３７】
このような更新内容例では、本発明における図1のメモリ記録内容更新管理データ９では、図4（ｂ）に示すような管理データが記録される。即ち同図の例では、前記（ａ）の更新内容例において２番目の更新内容である、ファイル名「ＹＹＹ.mp3」のファイルが追加したものとして１番目に記録され、その更新識別情報には「追加」であることを示す「０ｘ０１」を記録する。また、ファイルパスが前記のように「／￥ｍｕｓｉｃ￥ｚｘｚ」であることを示す。
【００３８】
以降は図４（ａ）の更新内容例における第４番目のファイル名「ＣＣＣ.mp3」のファイルが同図（ｂ）のように２番目のデータにおいて、「タグの変更」として更新され、それにより更新識別情報にはその旨の「０ｘ０２」のデータを記録する。またファイルパスとしては「／￥ｍｕｓｉｃ￥ｂｅｓｔ」であることを示す。以降同様に３番目としてファイル名「ＯＰＱ.wma」が削除されたものとして「０ｘ０４」を記録し、ファイルパスが存在しなくなったことを示している。また４番目としてファイル名「ＺＺＺ.mp3」が移動したことを示す「０ｘ０８」を記録し、ファイルパスが「／￥ｍｕｓｉｃ￥ｚｘｚ」から「／￥ｍｕｓｉｃ」に移動したことを示す「／￥ｍｕｓｉｃ￥ｚｘｚ→／￥ｍｕｓｉｃ」を記述している。
【００３９】
図２のステップＳ６で特定の種類のデータについて、上記のような更新識別情報を付加してメモリ内に記録内容更新管理データを作成した後、メモリをパソコンから取り外したか否かを判別し（ステップＳ７）、未だ取り外していないと判別したときにはステップＳ３に戻り、パソコンによりメモリ内のデータを更新するか否かの判別を行う以降、前記作動を繰り返す。また、ステップＳ７においてメモリをパソコンから取り外したと判別したときには、この処理を終了する（ステップＳ８）。
【００４０】
図１（ａ）において前記のような処理によってパソコンでのメモリデータを更新する処理を行った後は、このデータ管理ソフト付メモリ１をパソコン１１から取り外して、同図（ｂ）のようにこのデータ管理ソフト付メモリ１をそのままメモリデータ利用機器２１に接続するときには、以降は図３に示すメモリ利用機器でのデータ処理が行われる。即ち図３に示すメモリ利用機器でのデータ処理に際しては、最初データ管理ソフト付のメモリを接続したか否かの判別を行う（ステップＳ１１）。ここで未だ接続していないと判別したときにはこの作動を繰り返して待機する。
【００４１】
そのステップＳ１１でデータ管理ソフト付のメモリを接続したと判別したときには、メモリ内に更新識別情報付の記録内容更新管理データは存在するか否かを判別する（ステップＳ１２）。この処理は図１（ｂ）におけるメモリデータ利用機器２１において接続部２４にデータ管理ソフト付メモリ１が接続されたとき、更新識別情報付加管理データ取込部２３が、メモリ記録内容更新管理データ９内に更新識別情報付加部８で付加した更新識別情報が存在するか否かを検出することにより行うことができる。
【００４２】
ここでメモリ内に前記のような更新識別情報付の記録内容更新管理データが存在すると判別したとき、即ち、前記図２の作動フローにおけるステップＳ５で、パソコンにより更新したデータは、このメモリが使用する機器において再生処理する特定の種類のデータに関するものであると判別し、それによりステップＳ６で更新識別情報を付加してメモリ内に記録内容更新管理データを作成しており、図３のステップＳ１２ではこのようにして作成した、メモリ内に記録内容更新管理データは存在するか否かを判別して、存在すると判別したときには、記録内容更新管理データにより機器内のデータベースを更新処理する（ステップＳ１３）。
【００４３】
この更新処理は図１のメモリデータ利用機器２１におけるデータベース作成処理部２６において、前記図４（ｂ）に示すような更新識別情報付更新管理データによって容易に行うことができる。またステップＳ１２で更新識別情報付の管理データは存在しないと判別したときには、ステップＳ１６に進んで後述するデータベースの利用処理を行う。
【００４４】
その後ステップＳ１４において更新処理は終了したか否かの判別を行い、未だ終了していないときはステップＳ１３での更新処理を継続し、終了したと判別したときには、更新した記録内容更新管理データを消去する（ステップＳ１５）。それにより、データ管理ソフト付メモリにおいて繰り返し多数の更新処理が行われることによる、前記のような更新識別情報を付加したメモリ記録内容更新管理データが増大して、通常のデータ記録を行うメモリ容量部分が減少することを防止する。
【００４５】
その後データベースを利用した各種処理を行うこととなり（ステップＳ１７）、以降はこのデータ管理ソフト付メモリの、メモリ利用機器での通常の作動を行う。ここでは例えばこのメモリ利用機器が車両搭載ヘッドユニットであるときには、ステップＳ１６におけるデータベースを利用した各種処理として、図１のデータ記録部３に記録しているオーディオデータを、前記図７に示すように、アルバム名から特定のアルバムを選択し、その中から所望の曲を選択し、以降は利用者によるデータ記録部３のデータの再生、停止、早送り等の種々の態様での再生処理を行う。この処理は図１のメモリデータ利用機器２１におけるデータベース利用処理部２５において、前記のようなデータベース２７を用いて行うことができる。
【００４６】
次いでメモリを機器から取り外したか否かを判別し（ステップＳ１７）、未だ取り外していないときには前記ステップＳ１６による各種処理を継続する。またここで抜き出したと判別したときには、ステップＳ１８に進んでこの一連の処理を終了する。
【００４７】
前記実施例においては、図１のデータ管理ソフト付メモリ１内におけるメモリ内データ更新管理部２に、前記のような各種の処理を行うデータ管理ソフト５を備え、このデータ管理ソフト５の作動態様としてデータ更新監視部６、更新データ種類検出部７、更新識別情報付加部８を備えた例を示したが、そのほかこれらのデータ管理ソフトの機能は実際はユーザパソコン１１で行うため、例えば図５（ａ）に示すように、これらをデータ管理ソフト５によって行うユーザパソコン１１での処理とみなすこともできる。このような機能構成からなるデータ管理ソフト付メモリ１も同図（ｂ）に示すようにメモリデータ利用機器２１に接続して、前記と同様の作動を行うことができる。
【図面の簡単な説明】
【００４８】
【図１】本発明の実施例の機能ブロック図である。
【図２】同実施例においてパソコンでのメモリデータ更新処理を行う作動フロー図である。
【図３】同実施例においてメモリ利用機器でのデータ処理を行う作動フロー図である。
【図４】同実施例において生成される更新識別情報付更新管理データの例を示す図である。
【図５】本発明の他の態様を示す機能ブロック図である。
【図６】従来のデータベースを利用した例を示す図である。
【図７】従来のデータベース利用例を示す図である。
【符号の説明】
【００４９】
１  データ管理ソフト付メモリ    
２  メモリ内データ更新管理部
３  データ記録部
４  接続部
５  データ管理ソフト
６  データ更新監視部
７  更新データ種類検出部
８  更新識別情報付加部
９  メモリ記録内容更新管理データ
１１  ユーザパソコン
１２  データ演算処理部
１３  データ記録処理部
１４  接続部
２１  メモリデータ利用機器
２２  取込管理データ消去部
２３  更新識別情報付加管理データ取込部
２４  接続部
２５  データベース利用処理部
２６  データベース作成処理部
２７  データベース
【図１】
2009252268.tif 000003
【図２】
2009252268.tif 000004
【図３】
2009252268.tif 000005
【図４】
2009252268.tif 000006
【図５】
2009252268.tif 000007
【図６】
2009252268.tif 000008
【図７】
2009252268.tif 000009